(57)【要約】【課題】  断線抵抗を有した遊技場装置に適用可能であって、外部出力信号の通る経路上で発生した断線を検出でき、しかも、人為的なスイッチの切り換えを不要として、接点信号、正極性電圧信号及び負極性電圧信号の各入力を可能とする信号変換回路及び信号処理中継装置を提供する。【解決手段】  断線抵抗を有する遊技場装置から外部出力信号を入力する入力手段１１と、入力した外部出力信号を所定の出力信号に変換する変換手段１２と、変換した出力信号を送出する出力手段１３とを備える信号変換回路１０であって、変換手段１２は、外部出力信号の通る経路上で発生する断線の有無にもとづいて変換出力信号を生成する断線検出部を有した構成とする。【選択図】  図２
2005230178.tif 000002
【特許請求の範囲】
【請求項１】
断線抵抗が接続された遊技場装置の外部出力端子から外部出力信号を入力する入力手段と、入力した前記外部出力信号にもとづき所定の変換出力信号を生成する変換手段と、生成した前記変換出力信号を送出する出力手段とを備えた信号変換回路であって、
前記変換手段は、
前記入力手段での正極性電圧信号の入力にもとづき、第一のアイソレート型信号伝達素子を動作させて前記変換出力信号を生成する正極性電圧検出部と、
前記入力手段での接点閉信号又は負極性電圧信号の入力にもとづき、第二のアイソレート型信号伝達素子を動作させて前記変換出力信号を生成する接点・負極性電圧検出部と、
前記外部出力信号の通る経路上で発生する断線の有無にもとづき、第三のアイソレート型信号伝達素子を動作させて前記変換出力信号を生成する断線検出部とを有した
ことを特徴とする信号変換回路。
【請求項２】
前記正極性電圧検出部は、
前記入力手段に前記正極性電圧信号が入力されると、前記出力手段へ前記変換出力信号を送る前記第一のアイソレート型信号伝達素子と、
前記正極性電圧信号よりも低く電源電圧よりも高い降伏電圧を有し、かつ、前記入力手段に前記正極性電圧信号が入力されると前記第一のアイソレート型信号伝達素子の入力部に電流を流す定電圧素子と、
前記第一のアイソレート型信号伝達素子の入力部に流れる前記電流を制限する抵抗素子と、
前記入力手段に前記負極性電圧信号が入力されると、前記第一のアイソレート型信号伝達素子の入力部への電流の逆流を阻止する第一の整流素子とを有した
ことを特徴とする請求項１記載の信号変換回路。
【請求項３】
前記接点・負極性電圧検出部は、
前記入力手段に前記接点閉信号又は前記負極性電圧信号が入力されると、前記出力手段へ前記変換出力信号を送る前記第二のアイソレート型信号伝達素子と、
前記入力手段に前記負極性電圧信号が入力されると、負極性電圧と電源電圧とが足された電圧により流れる大電流を抑制する定電流素子と、
（１）前記入力手段に前記接点開信号が入力されたとき又は前記入力手段に前記負極性電圧信号若しくは前記正極性電圧信号が非入力のとき、前記断線抵抗に電流が流れてこれが小電流となることで、前記第二のアイソレート型信号伝達素子の入力部には電流が流れないようにし、（２）前記入力手段に前記接点閉信号が入力されたとき、前記外部出力端子がショートして大電流が流れることで、前記第二のアイソレート型信号伝達素子の入力部に電流を流すようにし、（３）前記入力手段に前記負極性電圧信号が入力されたとき、負極性電圧と電源電圧とが足された電圧により大きな電流が流れることで、前記第二のアイソレート型信号伝達素子の入力部に電流を流すようにする電流リミッタと、
前記入力手段に前記正極性電圧信号が入力されると、前記接点・負極性電圧検出部及び／又は前記断線検出部への電流の逆流を阻止する第二の整流素子とを有した
ことを特徴とする請求項１又は２記載の信号変換回路。
【請求項４】
前記断線検出部は、
前記断線が発生していないときは、電源電圧にもとづいて前記出力手段へ前記変換出力信号を送り、一方、前記断線が発生したときは、前記出力手段へ前記変換出力信号を送らない前記第三のアイソレート型信号伝達素子を有した
ことを特徴とする請求項１〜３のいずれかに記載の信号変換回路。
【請求項５】
前記出力手段は、
前記正極性電圧検出部及び／又は前記接点・負極性電圧検出部で生成された変換出力信号を送出する信号検出出力部と、
前記断線検出部で生成された変換出力信号を送出する断線検出出力部とを有した
ことを特徴とする請求項１〜４のいずれかに記載の信号変換回路。
【請求項６】
前記第一，第二，第三のアイソレート型信号伝達素子のそれぞれは、入力部と出力部とが電気的に絶縁されており、かつ、各前記出力部が、一つの前記出力手段に対して並列に接続された
ことを特徴とする請求項１〜５のいずれかに記載の信号変換回路。
【請求項７】
一又は二以上の遊技場装置から外部出力信号を入力する信号入力回路と、入力した前記外部出力信号を蓄積又は集計し、これを島ユニット及び／又はホールコンピュータへ送信する処理回路とを備える信号処理中継装置であって、
前記信号入力回路は、前記請求項１〜６のいずれかに記載の信号変換回路を有した
ことを特徴とする信号処理中継装置。
【発明の詳細な説明】
【技術分野】
【０００１】
本発明は、遊技機等の遊技場装置が出力する外部出力信号を、所定の変換出力信号に変換して周辺機器へ送出する信号変換回路、及び、この信号変換回路を備えた信号処理中継装置に関する。
【背景技術】
【０００２】
通常、パチンコ機やスロットマシンなどの遊技機は、外部出力端子を備えており、この外部出力端子から遊技状態を示す信号が出力されている。例えば、パチンコ機の場合は、大当たり信号、確率変動信号、スタート信号、金枠開閉信号などを外部出力するように構成されている。
これら外部出力信号は、ホールに設置される周辺機器（台ユニット、島ユニット、ホールコンピュータ、遊技データ表示装置、呼び出しランプ装置など）に入力され、遊技データの集計・表示、不正行為の監視、ランプ制御などに利用されている。
また、ホールに設置された各種装置（例えば、玉メダル貸機，玉メダル計数機，景品交換機，カード販売課金精算機，両替機など）も外部出力端子を備えており、所定の状態を示す信号が出力されている。
【０００３】
ところで、それら遊技機や各種装置が出力する外部出力信号の信号タイプは、各メーカ間で統一されていないため、接点信号を外部出力する遊技機等と、電圧信号を外部出力する遊技機等とが存在している。
したがって、周辺機器側では、接点信号用の信号変換回路と、電圧信号用の信号変換回路とを用意し、いずれかの信号変換回路を選択的に用いて、遊技機の外部出力信号を入力することが行われていた。
【０００４】
しかしながら、接点信号用の信号変換回路と、電圧信号用の信号変換回路とを別々に構成した場合は、コストアップになるだけでなく、機種の入れ替えに際して配線作業が煩雑になるという問題がある。また、配線を間違えると、回路が焼損する可能性もある。
【０００５】
そこで、近年においては、接点信号及び電圧信号を入力可能な信号変換回路が提案されている（例えば、特許文献１〜４参照。）。
例えば、特許文献１、２に示される信号変換回路は、接点信号及び電圧信号の入力端子を共通化し、スイッチ操作で回路を切り換えることにより、それら接点信号及び電圧信号に対応している。
一方、特許文献３、４に示される信号変換回路は、スイッチ操作を行わなくても、接点信号及び電圧信号に対応できるように構成されている。
【０００６】
また、遊技機の外部出力端子に断線抵抗が接続されており、これを利用して外部出力信号の経路上の断線を検出する信号変換回路が提案されている（例えば、特許文献５〜７参照。）。
この種の信号変換回路は、例えば、遊技機の外部出力端子に対し、ケーブルを介して常時電圧を印加するとともに、その電圧変化にもとづいて、接点オン状態、接点オフ状態及び断線状態を判定している。
つまり、接点オフ状態であっても、断線抵抗を介して通電状態を維持するので、接点オフ時と断線時の検出電圧に差が生じ、断線の検出が可能になる。
【特許文献１】特開平１０−１１１８１号公報
【特許文献２】特開平１０−９９５２６号公報
【特許文献３】特開２００１−２１２３３３号公報
【特許文献４】特許第３２１７７０９号公報
【特許文献５】特開平７−２７５４３４号公報
【特許文献７】特開２００２−１２２６２６号公報
【特許文献６】特開２０００−３００８１５号公報
【発明の開示】
【発明が解決しようとする課題】
【０００７】
しかしながら、特許文献１〜４に示された信号変換回路は、遊技機等の外部出力端子に接続される断線抵抗までは考慮していなかった。このため、接点信号及び電圧信号は許容できるものの、断線を検出することはできなかった。
一方、特許文献５〜７に示された信号変換回路は、接点信号の許容や断線の検出は行えるものの、電圧信号は許容できなかった。
しかも、特許文献５に示された信号変換回路（中継器）においては、入力側（センサ側）と出力側（コントロール回路側）とがアイソレートされておらず、入力側からの電気的な影響が出力側に及んでいた。
【０００８】
これに対し、特許文献６に示された信号変換回路（状態監視装置）においては、入力側と出力側とがアイソレートされているものの、外部出力信号のＨ（ハイ）状態が所定時間以上続いていることを検知するための判定回路が必要であり、回路構成が複雑となるという問題があった。
そして、特許文献７に示された信号変換回路（遊技場管理装置）においては、遊技機等の外部出力端子や断線抵抗に交流電圧を印加する回路や、それら外部出力端子等の電圧が「０」か「１」か「中間」かを検出して接点信号のオン／オフや断線の発生を判定する回路などが必要であり、回路構成が複雑となるという問題があった。
【０００９】
さらに、特許文献１、２に示されるものでは、機種を入れ替える際、その機種が出力する信号タイプを確認し、人為的にスイッチの切り換えを行う必要があるため、入れ替え台数が多い場合、スイッチの切り換え作業に手間がかかるという問題があった。また、このような入力回路では、スイッチの切り換えを忘れたり、間違えたりすると、従来と同様に回路が焼損する可能性もあった。
【００１０】
一方、特許文献３、４に示されるものは、接点信号及び電圧信号に自動的に対応するように構成されているので、上記のような問題は回避される。
しかしながら、特許文献３に示されるものでは、負極性電圧信号の入力に対して保護回路が働くものの、負極性電圧信号に応じて信号を出力する機能がないため、電圧信号線を信号入力端子に結線する場合には、その極性を確認し、極性を間違えないように結線を行う必要があった。
【００１１】
これに対して、特許文献４に示されるものは、接点信号、正極性電圧信号及び負極性電圧信号に対応している。
しかしながら、特許文献４に示される信号変換回路は、クロック信号によって信号種別を判定し、その判定結果に応じて一つのフォトカプラをオン／オフさせるように構成されているため、回路構成が複雑になってコストアップをまねくという問題があった。
【００１２】
本発明は、上記の事情にかんがみなされたものであり、外部出力端子に断線抵抗が接続された遊技機等にも対応可能とするとともに、外部出力信号が通る経路上で発生した断線を早期に検出でき、かつ、簡易な回路構成で、人為的なスイッチの切り換えを行うことなく、接点信号，正極性電圧信号，負極性電圧信号の各入力を許容可能とする信号変換回路及び信号処理中継装置の提供を目的とする。
【課題を解決するための手段】
【００１３】
この目的を達成するため本発明の信号変換回路は、断線抵抗が接続された遊技場装置の外部出力端子から外部出力信号を入力する入力手段と、入力した外部出力信号にもとづき所定の変換出力信号を生成する変換手段と、生成した変換出力信号を送出する出力手段とを備えた信号変換回路であって、変換手段は、入力手段での正極性電圧信号の入力にもとづき、第一のアイソレート型信号伝達素子を動作させて変換出力信号を生成する正極性電圧検出部と、入力手段での接点閉信号又は負極性電圧信号の入力にもとづき、第二のアイソレート型信号伝達素子を動作させて変換出力信号を生成する接点・負極性電圧検出部と、外部出力信号の通る経路上で発生する断線の有無にもとづき、第三のアイソレート型信号伝達素子を動作させて変換出力信号を生成する断線検出部とを有した構成としてある。
【００１４】
信号変換回路をこのような構成とすると、接点信号、正極性電圧信号、負極性電圧信号のすべてを許容できるとともに、外部出力信号の通る経路で発生した断線を検出することも可能となる。
しかも、遊技機等からの外部出力信号にもとづく変換出力信号が自動的に信号変換回路で生成され送出されるため、人為的なスイッチの切り換えを行う必要がなくなるばかりか、機種を入れ替える際、その機種が出力する信号タイプを確認したり、スイッチを切り換えたりする手間が省け、しかも、スイッチの切り換えミスによる回路の焼損も防止することができる。
【００１５】
さらに、切換スイッチにより切り換えたり、配線を変更したりする必要がないため、設置工事を簡略化できる。そして、切換スイッチが不要なため、本発明の信号変換回路のＩＣ化（半導体集積回路化）が可能となる。
加えて、従来技術にあるような判定回路、例えば、外部出力信号のＨ（ハイ）状態が所定時間以上続いていることを検知するための判定回路や、遊技機等の外部出力端子や断線抵抗に交流電圧を印加する回路、それら外部出力端子等の電圧が「０」か「１」か「中間」かを検出して接点信号のオン／オフや断線の発生を判定する回路などが不要となるため、信号変換回路の回路構成の簡略化を図ることができる。
【００１６】
また、本発明の信号変換回路は、正極性電圧検出部が、入力手段に正極性電圧信号が入力されると、出力手段へ変換出力信号を送る第一のアイソレート型信号伝達素子と、正極性電圧信号よりも低く電源電圧よりも高い降伏電圧を有し、かつ、入力手段に正極性電圧信号が入力されると第一のアイソレート型信号伝達素子の入力部に電流を流す定電圧素子と、第一のアイソレート型信号伝達素子の入力部に流れる電流を制限する抵抗素子と、入力手段に負極性電圧信号が入力されると、第一のアイソレート型信号伝達素子の入力部への電流の逆流を阻止する第一の整流素子とを有した構成としてある。
【００１７】
信号変換回路をこのような構成とすれば、第一のアイソレート型信号伝達素子（例えば、フォトカプラなど）は、正極性電圧信号と電源電圧とを分別して動作することができる。このため、正極性電圧検出部は、入力手段に正極性電圧信号が入力されると、その入力されたことを示す変換出力信号を出力手段へ送ることができる。
一方、入力手段に負極性電圧信号が入力されたときは、第一の整流素子によって逆流が阻止されるため、第一のアイソレート型信号伝達素子が保護される。
【００１８】
また、本発明の信号変換回路は、接点・負極性電圧検出部が、入力手段に接点閉信号又は負極性電圧信号が入力されると、出力手段へ変換出力信号を送る第二のアイソレート型信号伝達素子と、入力手段に負極性電圧信号が入力されると、負極性電圧と電源電圧とが足された電圧により流れる大電流を抑制する定電流素子と、（１）入力手段に接点開信号が入力されたとき又は入力手段に負極性電圧信号若しくは正極性電圧信号が非入力のとき、断線抵抗に電流が流れてこれが小電流となることで、第二のアイソレート型信号伝達素子の入力部には電流が流れないようにし、（２）入力手段に接点閉信号が入力されたとき、外部出力端子がショートして大電流が流れることで、第二のアイソレート型信号伝達素子の入力部に電流を流すようにし、（３）入力手段に負極性電圧信号が入力されたとき、負極性電圧と電源電圧とが足された電圧により大きな電流が流れることで、第二のアイソレート型信号伝達素子の入力部に電流を流すようにする電流リミッタと、入力手段に正極性電圧信号が入力されると、接点・負極性電圧検出部及び／又は断線検出部への電流の逆流を阻止する第二の整流素子とを有した構成としてある。
【００１９】
信号変換回路をこのような構成とすると、第二のアイソレート型信号伝達素子は、断線抵抗により小電流が流れる場合と所定以上の電流が流れる場合とを分別して動作することができる。このため、接点・負極性電圧検出部は、断線抵抗により小電流が流れる場合、すなわち、入力手段に接点開信号が入力された場合又は入力手段に負極性電圧信号が非入力の場合には変換出力信号を出力手段へ送らないようにすることができ、一方、所定以上の電流が流れる場合、すなわち、入力手段に接点閉信号又は負極性電圧信号が入力された場合には変換出力信号を出力手段へ送ることができる。
したがって、その接点・負極性電圧検出部を有する信号変換回路は、接点信号や負極性電圧信号の入力を許容して、変換出力信号のオン／オフの切換動作を行うことができる。
【００２０】
さらに、定電流素子を設けることで、負極性電圧と電源電圧とが重なって印加されて大電流が流れることを防止できる。
しかも、第二の整流素子を設けることで、正極性電圧信号が入力されたときに、接点・負極性電圧検出部への電流の逆流を防止できる。
【００２１】
また、本発明の信号変換回路は、断線検出部が、断線が発生していないときは、電源電圧にもとづいて出力手段へ変換出力信号を送り、一方、断線が発生したときは、出力手段へ変換出力信号を送らない第三のアイソレート型信号伝達素子を有した構成としてある。
信号変換回路をこのような構成とすれば、外部出力信号の通る経路上で断線が発生したことを自動的に検出できる。そして、その検出結果にもとづき生成された変換出力信号が出力手段から外部へ送出される。このため、ホール従業員は、その断線を知らせる変換出力信号が報知されることにより、断線の発生を早期に発見できる。
さらに、断線抵抗が接続された遊技場装置の外部出力端子から外部出力信号を入力し、この入力した外部出力信号に対応する変換出力信号を生成・送出するため、断線抵抗を有する遊技場装置に対応可能な信号変換回路とすることができる。
【００２２】
また、本発明の信号変換回路は、出力手段が、正極性電圧検出部及び／又は接点・負極性電圧検出部で生成された変換出力信号を送出する信号検出出力部と、断線検出部で生成された変換出力信号を送出する断線検出出力部とを有した構成としてある。
信号変換回路をこのような構成とすると、出力手段において、遊技機からの外部出力信号にもとづく変換出力信号と断線を知らせる変換出力信号とを別系統で送出できる。つまり、信号検出出力部において、正極性電圧信号，負極性電圧信号，接点信号の各入力にもとづく変換出力信号を送出でき、一方、断線検出出力部において、断線を知らせる変換出力信号を送出できる。
【００２３】
ここで、仮に、外部出力信号にもとづく変換出力信号と断線を知らせる変換出力信号とが共通した一の出力部から出力されるものとすると、その変換出力信号が外部出力信号にもとづくものか断線を知らせるものかを解析し判定しなければならなくなる。これに対し、信号検出出力部と断線検出出力部とを別構成とすることで、変換出力信号の解析・判定が不要となる。このため、出力された変換出力信号の扱いが容易となる。
【００２４】
しかも、断線検出出力部から送出される信号を監視することで、外部出力信号の通る経路上で断線が発生したか否かを確認できる。
特に、断線検出出力部から送出される信号を常時監視し、この信号に変化が生じた場合にホール従業員に知らせる機構を備えることで、断線のさらなる早期発見を可能にできる。
【００２５】
また、本発明の信号変換回路は、第一，第二，第三のアイソレート型信号伝達素子のそれぞれが、入力部と出力部とが電気的に絶縁されており、かつ、各出力部が、一つの出力手段に対して並列に接続された構成としてある。
信号変換回路をこのような構成とすれば、信号変換回路に設けられた複数のアイソレート型信号伝達素子のそれぞれが入力部と出力部との間で電気的に絶縁されており、かつ、それらアイソレート型信号伝達素子の各出力部が出力手段に並列に接続されているため、入力手段側と出力手段側との完全なアイソレートが可能となる。これにより、入力側からの電気的な影響（例えば、ノイズ等）が出力側に及ばないようになる。
さらに、一つの出力手段に対して並列に出力部が接続される複数のアイソレート型信号伝達素子を、入力手段に入力された外部出力信号の種類に応じて選択的にオン／オフさせるように構成されているので、クロック信号によって信号種別を判定するような複雑な回路が不要となる。これにより、回路構成を簡略化し（シンプルなものとし）、信号変換回路のコストダウンを図ることができる。
【００２６】
また、本発明の信号処理中継装置は、一又は二以上の遊技場装置から外部出力信号を入力する信号入力回路と、入力した外部出力信号を蓄積又は集計し、これを島ユニット及び／又はホールコンピュータへ送信する処理回路とを備える信号処理中継装置であって、信号入力回路は、請求項１〜６のいずれかに記載の信号変換回路を有した構成としてある。
【００２７】
信号処理中継装置をこのような構成とすると、接点信号，正極性電圧信号，負極性電圧信号のいずれをも入力可能としつつ、遊技機等からの外部出力信号の通る経路上で発生した断線を信号処理中継装置（例えば、台ユニットなど）で検出できる。
しかも、断線が発生したことを示す信号をホールコンピュータなどへ送信することとすれば、ホール全体における断線の管理が可能となる。
【発明の効果】
【００２８】
本発明によれば、信号変換回路又は信号処理中継装置に、正極性電圧検出部、接点・負極性電圧検出部、断線検出部が備えられるため、正極性電圧信号、負極性電圧信号、接点開信号、接点閉信号を許容できるとともに、外部出力信号が通る経路上で発生した断線を自動的に検出して外部へ知らせることができる。
さらに、接点信号、正極性電圧信号及び負極性電圧信号に対応する変換出力信号を自動的に生成し送出できるため、人為的なスイッチの切り換えが不要になるとともに、機種の入れ替え作業が容易となり、しかもスイッチの切り換えミスによる回路の焼損も防止することができる。
【００２９】
また、複数のアイソレート型信号伝達素子の各出力部が出力手段に並列に接続されているため、入力手段側と出力手段側とを完全にアイソレートできる。
しかも、従来技術にあるような判定回路、例えば、クロック信号によって信号種別を判定する回路、外部出力信号のＨ（ハイ）状態が所定時間以上続いていることを検知するための判定回路、遊技機等の外部出力端子や断線抵抗に交流電圧を印加する回路、それら外部出力端子等の電圧が「０」か「１」か「中間」かを検出して接点信号のオン／オフや断線の発生を判定する回路などが不要となるため、回路構成の簡素化を図ることができる。
【００３０】
さらに、切換スイッチにより切り換えたり、配線を変更したりする必要がないため、設置工事を簡略化できる。
加えて、切換スイッチが不要なため、信号変換回路のＩＣ化（半導体集積回路化）が可能となる。
【発明を実施するための最良の形態】
【００３１】
以下、本発明の信号変換回路及び信号処理中継装置の実施形態について、図面を参照して説明する。
【００３２】
まず、遊技機やその周辺機器を備えた遊技場システムの構成について、図１を参照して説明する。
同図は、遊技場システムの構成を示すブロック図である。
同図に示すように、遊技場システム１００には、パチンコ機，スロットマシン，雀球機，アレンジボール機などの遊技機１０１や、台ユニット１０２、島ユニット１０３、ホールコンピュータ１０４、遊技データ表示装置１０５、呼び出しランプ装置１０６、玉メダル貸機１０７、玉メダル計数機１０８、景品交換機１０９、カード販売課金精算機１１０、両替機１１１などの周辺機器が設置されている。
【００３３】
遊技機１０１は、大当たり信号、確率変動信号、スタート信号、金枠開閉信号などを外部出力するための外部出力端子を備えている。
現在、遊技機１０１が出力する外部出力信号の信号タイプは、遊技機メーカによって相違しており、接点信号を外部出力する遊技機１０１と、電圧信号を外部出力する遊技機１０１とが存在している。本実施形態の信号変換回路１０は、それら接点信号も電圧信号も許容し得る構成となっている。
【００３４】
台ユニット１０２は、一又は複数の遊技機１０１等から外部出力信号を入力する信号変換回路１０と、入力した外部出力信号を蓄積又は集計し、これを島ユニット１０３あるいはホールコンピュータ１０４へ送信する処理回路とを備える中継ユニットである。
なお、信号変換回路１０は、台ユニット１０２の内部に設けることもでき、また外部に設けることもできる。外部に設けられた信号変換回路１０は、遊技機１０１から外部出力信号を受け取り、所定の出力信号を台ユニット１０２，島ユニット１０３，ホールコンピュータ１０４のいずれかへ送出する構成とすることができる。
【００３５】
島ユニット１０３は、一又は複数の台ユニット１０２に接続され、台ユニット１０２から受信した信号を蓄積又は集計し、これをハブ１１２などを介してホールコンピュータ１０４や遊技データ表示装置１０５へ送信する中継ユニットである。
なお、台ユニット１０２又は島ユニット１０３の一方又は双方は、省略することができる。
また、信号変換回路１０は、台ユニット１０２，島ユニット１０３，ホールコンピュータ１０４、呼び出しランプ装置１０６等のいずれかに備えることもでき、また、台ユニット１０２，島ユニット１０３，ホールコンピュータ１０４、呼び出しランプ装置１０６等とは別の構成とすることもできる。
【００３６】
ホールコンピュータ１０４は、ハブ１１２を介して一又は複数の島ユニット１０３に接続され、島ユニット１０３から受信した信号を集計し、その表示や保存を行う。ホールコンピュータ１０４の操作は、主にホールの管理者が行い、集計された遊技データは、ホールの運営管理に利用される。
【００３７】
遊技データ表示装置１０５は、ハブ１１２を介して一又は複数の島ユニット１０３に接続され、島ユニット１０３から受信した信号を集計し、その表示や保存を行う。遊技データ表示装置１０５の操作は、主に遊技者が行い、集計された遊技データは、遊技者の台選びなどに利用される。
【００３８】
呼び出しランプ装置１０６は、各遊技機１０１の上側に設けられ、遊技者の呼び出し操作や、遊技機１０１等の外部出力信号に応じて、ランプ制御を行う。また、呼び出しランプ装置１０６は、外部出力信号に応じて、大当たり回数、スタート回数などを表示する機能も備えている。
玉メダル貸機１０７は、投入された現金の金額の範囲内（あるいは、挿入されたカードに課金されている金額の範囲内）で、遊技者に対して遊技媒体（玉やメダル等）を貸し出す装置である。この玉メダル貸機１０７は、遊技機１０１と遊技機１０１との間にいわゆる台間機として設置することができる。
【００３９】
玉メダル計数機１０８は、遊技者が獲得した遊技媒体（玉やメダル等）の数量を計数する装置である。
景品交換機１０９は、出玉を特殊景品等に交換する装置である。
カード販売課金精算機１１０は、カードの販売，カードへの課金，カードに課金された金額の精算などを行う装置である。
両替機１１１は、現金を他の金種の現金に両替する装置である。
ハブ１１２は、一又は二以上の配線を集線する装置である。このハブ１１２にも信号変換回路１０を備えることができる。
【００４０】
なお、本実施形態においては、外部出力端子を有して所定の信号（外部出力信号）を出力する装置、具体的には、遊技機１０１，玉メダル貸機１０７，玉メダル計数機１０８，景品交換機１０９，カード販売課金精算機１１０，両替機１１１等を「遊技場装置」という。
この遊技場装置には、外部出力信号を外部へ送信するための外部出力端子が設けられている。そして、外部出力端子にはその信号の重要度によって断線抵抗が接続されている。これにより、入出金情報などの重要な信号が線路障害により送信できなくなり集計不能となることを回避できる。
【００４１】
本発明の信号変換回路１０は、それら遊技場装置から出力された外部出力信号を入力する周辺機器に用いられる。特に、遊技場装置の外部出力端子から配線で接続される台ユニット１０２や呼び出しランプ装置１０６において有用である。
また、本発明の信号変換回路１０が適用される機器は、台ユニット１０２等に限定されない。例えば、周辺機器そのものや、遊技場装置と周辺機器との間に介在し、専ら信号タイプの変換を行う信号変換アダプタなどの機器にも用いることができる。
【００４２】
そして、本実施形態においては、遊技場装置から外部出力信号を入力する周辺装置や信号変換アダプタ等を総称して「信号処理中継装置」という。
この信号処理中継装置は、本発明の信号変換回路１０を有する信号入力回路と、入力した外部出力信号を蓄積又は集計し、これを島ユニット１０３やホールコンピュータ１０４などへ送信する処理回路とを備えることができる。
【００４３】
次に、本発明の信号変換回路の実施形態について、図２を参照して説明する。
同図は、本実施形態の信号変換回路の回路構成を示すブロック図である。
同図に示すように、本実施形態の信号変換回路１０ａは、入力手段１１と、変換手段１２と、出力手段１３とを備えており、さらに、変換手段１２は、正極性電圧検出部１２−１と、接点・負極性電圧検出部１２−２と、断線検出部１２−３とを有している。
【００４４】
ここで、正極性電圧検出部１２−１は、入力手段１１の入力端子に正極性電圧信号が入力（正極性電圧が印加）されると、この外部出力信号にもとづいて変換出力信号を生成し、出力手段１３へ送る。
接点・負極性電圧検出部１２−２は、入力手段１１の入力端子に接点開信号（入力手段１１が開放（オフ）されているときに入力される信号）や接点閉信号（入力手段１１が接続（オン）されているときに入力される信号）が入力されると、これら外部出力信号にもとづいて変換出力信号を生成し、出力手段１３へ送る。
また、接点・負極性電圧検出部１２−２は、入力手段１１の入力端子に負極性電圧信号が入力（負極性電圧あるいは逆電圧が印加）されたことを検出すると、この外部出力信号にもとづいて変換出力信号を生成し、出力手段１３へ送る。
断線検出部１２−３は、外部出力信号が通る経路の一部で断線が発生しているか否かを示す変換出力信号を生成し、出力手段１３へ送る。
【００４５】
出力手段１３は、同図に示すように、信号検出出力部１３−１と、断線検出出力部１３−２とを有している。
信号検出出力部１３−１は、正極性電圧検出部１２−１あるいは接点・負極性電圧検出部１２−２からの変換出力信号を外部へ送出する。
断線検出出力部１３−２は、断線検出部１２−３からの変換出力信号を外部へ送出する。
このように、出力手段１３においては、外部出力信号にもとづく変換出力信号と、断線にもとづく変換出力信号とが、それぞれ別個の出力部で送出される。このため、断線発生の有無の判断については、断線検出出力部１３−２から送出された出力信号がオン／オフのいずれであるかを解析するだけで容易に判断できる。
【００４６】
なお、本実施形態においては、接点開信号，接点閉信号，負極性電圧信号の各信号にもとづく出力信号の生成を接点・負極性電圧検出部１２−２で行うこととしているが、それら各信号にもとづく変換出力信号の生成は一つの検出部で行うことに限るものではなく、二以上の検出部に行わせることもできる。
つまり、図３に示すように、接点開信号や接点閉信号の入力にもとづき変換出力信号を生成する検出部（接点検出部１２−２１）と、負極性電圧信号の入力／非入力にもとづき変換出力信号を生成する検出部（負極性電圧検出部１２−２２）とを、それぞれ個別に備えることができる。
ただし、本実施形態の信号変換回路１０ａにおける接点・負極性電圧検出部１２−２のように、一つの検出部が複数種類の外部出力信号に対応可能とすることで信号変換回路１０の回路構成の簡略化を図ることができる。
【００４７】
次に、本実施形態の信号変換回路の具体的な回路構成について、図４を参照して説明する。
同図は、本実施形態における信号変換回路の具体的な回路構成を示す電子回路図である。
本実施形態の信号変換回路１０ａは、遊技機１０１などの遊技場装置から出力された外部出力信号を入力する入力手段１１と、入力した外部出力信号にもとづき所定の変換出力信号を生成する変換手段１２と、生成した変換出力信号を送出する出力手段１３とを備えている。
【００４８】
入力手段１１は、正極性入力端子（入力端子＋）と、負極性入力端子（入力端子−）とを備え、これら入力端子が、遊技場装置の外部出力端子（正極性出力端子及び負極性出力端子）に接続される。
出力手段１３は、信号検出出力部１３−１と断線検出出力部１３−２とが、それぞれ正極性出力端子（出力端子＋）と負極性出力端子（出力端子−）とを備えている。そして、これら出力端子は、周辺機器の入力端子（正極性入力端子及び負極性入力端子）に接続される。
【００４９】
変換手段１２は、正極性電圧検出部１２−１と、接点・負極性電圧検出部１２−２と、断線検出部１２−３とを有している。
正極性電圧検出部１２−１は、同図に示すように、抵抗Ｒ１と、ツェナダイオードＺＤ１と、ダイオードＤ１と、フォトカプラＰＣ１とを有している。
それら抵抗Ｒ１，ツェナダイオードＺＤ１，ダイオードＤ１，フォトカプラＰＣ１の発光素子（入力部、例えば、発光ダイオード）は、直列に接続されている。つまり、抵抗Ｒ１の一端とツェナダイオードＺＤ１のカソードとが接続され、さらに、ツェナダイオードＺＤ１のアノードとフォトカプラＰＣ１の発光素子のアノード、フォトカプラＰＣ１の発光素子のカソードとダイオードＤ１のアノードがそれぞれ接続されている。そして、抵抗Ｒ１の他端と入力手段１１の正極性入力端子、ダイオードＤ１のカソードと入力手段１１の負極性入力端子とがそれぞれ接続されている。
【００５０】
抵抗（抵抗素子）Ｒ１は、ツェナダイオードＺＤ１，ダイオードＤ１，フォトカプラＰＣ１の発光素子に過剰な電流が流れないようにするための電流制限用抵抗である。
ツェナダイオード（定電圧素子）ＺＤ１は、正極性電圧よりも低く電源電圧よりも高いツェナ電圧（降伏電圧）を有している。このため、入力手段１１に正極性電圧信号が入力されると、このツェナダイオードＺＤ１を通してフォトカプラＰＣ１の発光素子に電流が流れる。一方、入力手段１１に正極性電圧信号が非入力のときは、ツェナダイオードＺＤ１で電流が阻止（カットオフ）されるため、フォトカプラＰＣ１の発光素子には電流が流れない。このような動作をツェナダイオードＺＤ１が行うことにより、フォトカプラＰＣ１は、正極性電圧信号と電源電圧とを分別して、変換出力信号を出力手段１３へ送ることができる。
ダイオード（第一の整流素子）Ｄ１は、入力手段１１に負極性電圧信号が入力されると、フォトカプラＰＣ１の発光素子への電流の逆流を阻止する。
【００５１】
フォトカプラ（第一のアイソレート型信号伝達素子）ＰＣ１は、所定値以上の電圧が加わると（あるいは、所定値以上の電流が流れると）光を放出する発光素子と、発光素子からの光を受光して信号を出力する受光素子（出力部、例えば、フォトトランジスタなど）とを有している。
このフォトカプラＰＣ１の発光素子には、ツェナダイオードＺＤ１とダイオードＤ１とがそれぞれ直列に接続されている。このため、入力手段１１に正極性電圧信号が入力されると、ツェナダイオードＺＤ１を通して電流が流れ、発光する。また、入力手段１１に正極性電圧信号が非入力のときは、電流が流れず発光しない。さらに、入力手段１１に負極性電圧信号が入力されたときは、ダイオードＤ１で電流がカットオフされるため、発光素子は保護される。
フォトカプラＰＣ１の受光素子は、受光状態で低インピーダンスになり、所定の信号を発生する。この信号は、変換出力信号として出力手段１３へ送られ外部へ送出される。この受光素子は、出力手段１３の信号検出出力部１３−１に並列に接続されている。
【００５２】
接点・負極性電圧検出部１２−２は、図４に示すように、抵抗Ｒ２と、抵抗Ｒ３と、トランジスタＱ１と、トランジスタＱ２と、フォトカプラＰＣ２と、定電流ダイオードＣＲＤ１と、第二のダイオードＤ２とを有している。
抵抗Ｒ２の一端は、電源の正極側と接続されており、他端は、フォトカプラＰＣ２の発光素子のアノードと接続されている。トランジスタＱ１のコレクタは、電源の正極側と接続されており、トランジスタＱ１のエミッタはトランジスタＱ２のベース及び抵抗Ｒ３の一端と、トランジスタＱ１のベースはトランジスタＱ２のコレクタ及びフォトカプラＰＣ２の発光素子のカソードとそれぞれ接続されている。また、トランジスタＱ２のエミッタと抵抗Ｒ３の他端とは、それぞれ定電流ダイオードＣＲＤ１の一端と接続されており、定電流ダイオードＣＲＤ１の他端は、入力手段１１の正極性入力端子と正極性電圧検出部１２−１の抵抗Ｒ１との接続点に接続されている。
【００５３】
抵抗Ｒ２は、フォトカプラＰＣ２等に過剰な電流が流れるのを防止するための電流制限用抵抗である。
抵抗Ｒ３は、トランジスタＱ１及びトランジスタＱ２のはたらき（接点開信号の入力時や負極性電圧信号の非入力時にはフォトカプラＰＣ２を動作させず、接点閉信号の入力時や負極性電圧信号の入力時にはフォトカプラＰＣ２を動作させるはたらき）が適切に行われるように調整するための抵抗である。
断線抵抗ＢＲ１の抵抗値は、１［ｋΩ］〜１０［ｋΩ］の間で種々接続されており、抵抗Ｒ３は、それらすべてに対応できる値に設定される。
【００５４】
トランジスタＱ１とトランジスタＱ２は、対をなして電流リミッタを構成しており、断線抵抗ＢＲ１がシリーズに入って小電流が流れる場合と所定以上の電流が流れる場合とを分別して、フォトカプラＰＣ２の発光素子に流れる電流を制御している。
断線抵抗ＢＲ１がシリーズに入って小電流が流れる場合とは、入力手段１１に接点開信号が入力された場合や、入力手段１１に正極性電圧信号又は負極性電圧信号が非入力の場合である。これらの場合は、遊技機等の外部出力端子が開（オープン）であるため断線抵抗ＢＲ１に電流が流れるが、断線抵抗ＢＲ１の抵抗値が高いことから、トランジスタＱ１のコレクタ→エミッタ（以下、略して「Ｃ→Ｅ」という。）を介してトランジスタＱ２のベースには小電流が流れる。このトランジスタＱ２のベースに流れる電流の値が小さいことから、トランジスタＱ２のＣ→Ｅがカットオフとなる。このため、フォトカプラＰＣ２はＯＦＦ状態となる。
【００５５】
一方、所定以上の電流が流れる場合とは、入力手段１１に接点閉信号又は負極性電圧信号が入力された場合である。
これらのうち、接点閉信号が入力された場合は、遊技機等の外部出力端子が閉（ショート）となる。このため、トランジスタＱ１のＣ→Ｅを介してトランジスタＱ２のベースには大電流が流れる。このトランジスタＱ２のベースに流れる電流の値が大きいことから、トランジスタＱ２のＣ→Ｅに電流が流れ、フォトカプラＰＣ２の発光素子に電流が流れてＯＮ状態となる。
【００５６】
また、負極性電圧信号が入力された場合は、負極性電圧と電源電圧とが重なって印加されるため、トランジスタＱ１のＣ→Ｅを介してトランジスタＱ２のベースには大電流が流れる。そして、トランジスタＱ２のＣ→Ｅに電流が流れるため、フォトカプラＰＣ２の発光素子に電流が流れてＯＮ状態となる。ただし、この場合は、定電流ダイオードＣＲＤ１により電流が制限される。
それらトランジスタＱ１及びトランジスタＱ２のはたらきにより、接点・負極性電圧検出部１２−２は、入力手段１１に入力された外部出力信号が接点閉信号又は負極性電圧信号である場合には、変換出力信号を出力手段１３へ送ることができる。
なお、入力手段１１に正極性電圧信号が入力された場合は、ダイオードＤ２が逆流を防止し、接点・負極性電圧検出部１２−２には電流が流れず、フォトカプラＰＣ２は保護される。
【００５７】
フォトカプラ（第二のアイソレート型信号伝達素子）ＰＣ２は、上述のように、入力手段１１に接点閉信号又は負極性電圧信号が入力された場合に動作して、変換出力信号を出力手段１３へ送る。一方、接点開信号の入力時や負極性電圧信号の非入力時には動作しない。なお、正極性電圧信号については、入力時であっても非入力時であっても動作しない。
このフォトカプラＰＣ２の受光素子は、信号検出出力部１３−１に並列に接続されている。
【００５８】
定電流ダイオード（定電流素子）ＣＲＤ１は、加えられる電圧が所定値に達するまでは普通の抵抗のように電圧に比例した電流を流すが、その電圧が所定値以上になると電流を一定値で保持して流す性質を有している。
この定電流ダイオードＣＲＤ１は、入力手段１１に負極性電圧信号が入力され、負極性電圧と電源電圧が重なって印加された場合の大電流を制限する。これにより、フォトカプラＰＣ２の破損を防止できる。
【００５９】
ダイオード（第二の整流素子）Ｄ２は、アノードが、入力手段１１の負極性入力端子と正極性電圧検出部１２−１のダイオードＤ１のカソードとの接続点に接続されており、カソードが、電源の負極側に接続されている。
このダイオードＤ２は、入力手段１１に正極性電圧信号が入力されたときに、接点・負極性電圧検出部１２−２や断線検出部１２−３への電流の逆流を阻止している。
【００６０】
断線検出部１２−３は、図４に示すように、抵抗Ｒ４と、トランジスタＱ３と、抵抗Ｒ５と、フォトカプラＰＣ３とを有している。
トランジスタＱ３のエミッタは、電源の正極側と接続されており、コレクタはフォトカプラＰＣ３の発光素子のアノードと、ベースは抵抗Ｒ４の一端とそれぞれ接続されている。抵抗Ｒ４の他端は、接点・負極性電圧検出部１２−２の抵抗Ｒ３の他端とトランジスタＱ２のエミッタと定電流ダイオードＣＲＤ１の一端にそれぞれ接続されている。フォトカプラＰＣ３の発光素子のカソードは、抵抗Ｒ５の一端と接続されており、抵抗Ｒ５の他端は、電源の負極側に接続されている。
【００６１】
抵抗Ｒ４は、トランジスタＱ３のベース電流を調整するための抵抗である。
トランジスタＱ３は、断線発生時にフォトカプラＰＣ３への電流をカットオフする。
抵抗Ｒ５は、フォトカプラＰＣ３に過剰な電流が流れないようにするための電流制限用抵抗である。
【００６２】
フォトカプラ（第三のアイソレート型信号伝達素子）ＰＣ３は、通常時（断線が発生していないとき）は、所定の信号（非断線検出信号）を出力して出力手段１３の断線検出出力部１３−２へ送る。一方、外部出力信号が通る経路上で断線が発生したときは、非断線検出信号の出力を停止する。
このため、断線検出出力部１３−２から非断線検出信号が出力されているか否かを検出することで、断線が発生したか否かを知ることができる。
【００６３】
なお、フォトカプラＰＣ３から非断線検出信号が出力されなくなる場合としては、外部出力信号が通る経路上で断線が発生した場合の他、入力手段１１に正極性電圧信号が入力された場合が考えられる。これは、定電流ダイオードＣＲＤ１を通じて電流が流れない場合に、抵抗Ｒ４に電流が流れず、トランジスタＱ３のエミッタ−コレクタ間がカットオフされて、フォトカプラＰＣ３から信号が出力されない構成となっているためである。
そこで、当該信号変換回路１０においては、断線検出出力部１３−２から非断線検出信号が出力されておらず、かつ、出力手段１３−１からも信号が出力されていない場合に、断線が発生したものと判断する。
言い換えれば、断線検出出力部１３−２からは非断線検出信号が出力されていないものの、出力手段１３−１からは信号が出力されているときは、断線が発生していないものと判断する。
【００６４】
次に、本実施形態に係る信号変換回路１０ａの動作について、図５ａ〜図５ｇを参照して説明する。
図５ａは、本実施形態に係る信号変換回路の入力手段に接点開信号が入力された状態を示す図、図５ｂは、同入力手段に接点閉信号が入力された状態を示す図、図５ｃは、同入力手段に正極性電圧信号が入力されていない状態を示す図、図５ｄは、同入力手段に正極性電圧信号が入力された状態を示す図、図５ｅは、同入力手段に負極性電圧信号が入力されていない状態を示す図、図５ｆは、同入力手段に負極性電圧信号が入力された状態を示す図、図５ｇは、外部出力信号が通る経路上で断線が生じた状態を示す図である。
【００６５】
まず、信号変換回路の入力手段に接点開信号が入力された場合について、図５ａを参照して説明する。
入力手段１１に接点開信号が入力された場合（接点入力が「開」の場合）、この入力手段１１には電圧が印加されていないため、フォトカプラＰＣ１には電流が流れずＯＦＦ状態となる。
【００６６】
接点・負極性電圧検出部１２−２の電源端子＋Ｖ（電源の正極側）には電源電圧が印加されている。これにより、電流Ｉａ１が、トランジスタＱ３のエミッタ→トランジスタＱ３のベース→抵抗Ｒ４→定電流ダイオードＣＲＤ１→断線抵抗ＢＲ１→ダイオードＤ２を通って電源の負極側に達する。ここで電流Ｉａ１がトランジスタＱ３のベースに電流が流れるので、このトランジスタＱ３のコレクタに電流Ｉａ２が流れる。
電流Ｉａ２は、電源の正極側→トランジスタＱ３のエミッタ→トランジスタＱ３のコレクタ→フォトカプラＰＣ３の発光素子→抵抗Ｒ５→電源の負極側のような経路で流れる。これにより、フォトカプラＰＣ３はＯＮ状態となって発光素子が発光する。そして、受光素子からの出力信号が、出力手段１３の断線検出出力部１３−２へ送られ外部へ送出される。
【００６７】
さらに、電流Ｉａ３が、電源の正極側→トランジスタＱ１のコレクタ→トランジスタＱ１のエミッタ→トランジスタＱ２のベース→抵抗Ｒ３→定電流ダイオードＣＲＤ１のような経路で流れる。ここで、断線抵抗ＢＲ１の抵抗値は比較的高いことから、電流Ｉａ３の電流値は小さい。つまり、トランジスタＱ２のベース電流は小さいため、このトランジスタＱ２のＣ→Ｅ間がカットオフとなり、フォトカプラＰＣ２はＯＦＦ状態となる。
このように、入力手段１１に接点開信号が入力された場合は、フォトカプラＰＣ１とフォトカプラＰＣ２とがともにＯＦＦ状態となるため、出力手段１３の信号検出出力部１３−１からは信号が出力されない（オフとなる）。これに対し、フォトカプラＰＣ３はＯＮ状態となるため、断線検出出力部１３−２からは信号が出力される（オンとなる）。
【００６８】
次に、信号変換回路の入力手段に接点閉信号が入力された場合について、図５ｂを参照して説明する。
入力手段１１に接点閉信号が入力された場合（接点入力が「閉」の場合）、この入力手段１１には電圧が印加されていないため（接点信号であって電圧信号ではないため）、フォトカプラＰＣ１には電流が流れずＯＦＦ状態となる。
【００６９】
電源の正極側に印加された電源電圧により、電流Ｉｂ１が、トランジスタＱ３のエミッタ→トランジスタＱ３のベース→抵抗Ｒ４→定電流ダイオードＣＲＤ１→外部出力信号の入力用接点→ダイオードＤ２を通って電源の負極側に達する。この電流Ｉｂ１がトランジスタＱ３のベースに流れることで、そのトランジスタＱ３のコレクタにも電流Ｉｂ２が流れる。
電流Ｉｂ２は、電源の正極側→トランジスタＱ３のエミッタ→トランジスタＱ３のコレクタ→フォトカプラＰＣ３の発光素子→抵抗Ｒ５→電源の負極側のような経路で流れる。これにより、フォトカプラＰＣ３はＯＮ状態となって発光素子が発光する。そして、断線検出出力部１３−２からは、フォトカプラＰＣ３の受光素子からの出力信号が外部へ送出される。
【００７０】
さらに、電流Ｉｂ３が、電源の正極側→トランジスタＱ１のコレクタ→トランジスタＱ１のエミッタ→トランジスタＱ２のベース→抵抗Ｒ３→定電流ダイオードＣＲＤ１→外部出力信号の入力用接点→ダイオードＤ２→電源の負極側のような経路を流れる。
ここで、電流Ｉｂ３は、断線抵抗ＢＲ１ではなく外部出力信号の入力用接点を通って流れるため、電流が多く流れる。この電流Ｉｂ３が多く流れることで、トランジスタＱ２のＣ→Ｅに電流が流れるようになる。これにより電流Ｉｂ４が、電源の正極側→抵抗Ｒ２→フォトカプラＰＣ２の発光素子→トランジスタＱ１のベース→トランジスタＱ２のコレクタ→トランジスタＱ２のエミッタ→定電流ダイオードＣＲＤ１→外部出力信号の入力用接点→ダイオードＤ２→電源の負極側のような経路で流れる。
【００７１】
この電流Ｉｂ４により、フォトカプラＰＣ２はＯＮ状態となって発光素子が発光し、受光素子で変換出力信号が出力され、この変換出力信号が出力手段１３の信号検出出力部１３−１から送出される。
このように、入力手段１１に接点閉信号が入力された場合は、フォトカプラＰＣ１がＯＦＦ状態となるもののフォトカプラＰＣ２がＯＮ状態となるため、出力手段１３の信号検出出力部１３−１からは信号が出力される（オンとなる）。また、フォトカプラＰＣ３がＯＮ状態となるため、断線検出出力部１３−２からも信号が出力される（オンとなる）。
【００７２】
次に、信号変換回路の入力手段で正極性電圧信号が非入力の場合について、図５ｃを参照して説明する。
入力手段１１に正極性電圧信号が非入力の場合、信号変換回路１０ａは、入力手段１１に接点開信号が入力された場合（図５ａ）と同じ動作をする。つまり、図５ｃの電流Ｉｃ１，Ｉｃ２，Ｉｃ３は、図５ａの電流Ｉａ１，Ｉａ２，Ｉａ３にそれぞれ対応する。
このため、入力手段１１に正極性電圧信号が非入力の場合は、フォトカプラＰＣ１とフォトカプラＰＣ２とがともにＯＦＦ状態となるため、出力手段１３の信号検出出力部１３−１からは信号が出力されない（オフとなる）。これに対し、フォトカプラＰＣ３はＯＮ状態となるため、断線検出出力部１３−２からは信号が出力される（オンとなる）。
【００７３】
次に、信号変換回路の入力手段に正極性電圧信号が入力された場合について、図５ｄを参照して説明する。
入力手段１１に正極性電圧信号が入力された場合（正電圧入力が「ＯＮ」の場合）、この正極性電圧信号による電流Ｉｄ１が、正極性入力端子＋→抵抗Ｒ１→ツェナダイオードＺＤ１→フォトカプラＰＣ１の発光素子→ダイオードＤ１→負極性入力端子−（さらに、ダイオードＤ１→ダイオードＤ２→電源の負極側）のような経路で流れる。この経路においてフォトカプラＰＣ１の発光素子に電流が流れるため、フォトカプラＰＣ１はＯＮ状態となり発光素子が発光する。そして、このフォトカプラＰＣ１の受光素子から出力された変換出力信号が、出力手段１３の信号検出出力部１３−１を介して外部へ送出される。
この電流Ｉｄ１が流れる経路のうち正極性入力端子＋側には定電流ダイオードＣＲＤ１のカソードが接続されているが、逆流防止用のダイオードＤ２で阻止されるため、定電流ダイオードＣＲＤ１には電流が流れない。
【００７４】
そして、接点・負極性電圧検出部１２−２と断線検出部１２−３には電流が流れないため、フォトカプラＰＣ２とフォトカプラＰＣ３とは、それぞれＯＦＦ状態となる。
このように、入力手段１１に正極性電圧信号が入力された場合は、フォトカプラＰＣ２がＯＦＦ状態となるもののフォトカプラＰＣ１がＯＮ状態となるため、出力手段１３の信号検出出力部１３−１からは信号が出力される（オンとなる）。これに対し、フォトカプラＰＣ３がＯＦＦ状態となるため、断線検出出力部１３−２からは信号が出力されない（オフとなる）。
なお、この場合、断線検出出力部１３−２からは信号が出力されずオフとなるが、信号検出出力部１３−１からは信号が出力されているため、遊技機等の外部出力信号が通る経路では断線が発生していないものと判断される。
【００７５】
次に、信号変換回路の入力手段で負極性電圧信号が非入力の場合について、図５ｅを参照して説明する。
入力手段１１に負極性電圧信号が非入力の場合、信号変換回路１０ａは、入力手段１１に接点開信号が入力された場合（図５ａ）と同じ動作をする。つまり、図５ｅの電流Ｉｅ１，Ｉｅ２，Ｉｅ３は、図５ａの電流Ｉａ１，Ｉａ２，Ｉａ３にそれぞれ対応する。
このため、入力手段１１に正極性電圧信号が非入力の場合は、フォトカプラＰＣ１とフォトカプラＰＣ２とがともにＯＦＦ状態となるため、出力手段１３の信号検出出力部１３−１からは信号が出力されない（オフとなる）。これに対し、フォトカプラＰＣ３はＯＮ状態となるため、断線検出出力部１３−２からは信号が出力される（オンとなる）。
【００７６】
次に、信号変換回路の入力手段に負極性電圧信号が入力された場合について、図５ｆを参照して説明する。
入力手段１１に負極性電圧信号が入力された場合（負電圧入力が「ＯＮ」の場合）、電流Ｉｆ０が、ダイオードＤ２を通って電源の負極側へ流れる。ただし、入力手段１１の負極性入力端子−側に接続されたダイオードＤ１によりカットオフされて、フォトカプラＰＣ１の発光素子には電流が流れない。このため、フォトカプラＰＣ１は保護される（ＯＦＦ状態となる）。
【００７７】
また、電流Ｉｆ１が、電源の正極側→トランジスタＱ３のエミッタ→トランジスタＱ３のベース→抵抗Ｒ４→定電流ダイオードＣＲＤ１→外部出力信号の入力用接点のような経路で流れる。さらに、電流Ｉｆ３が、電源の正極側→トランジスタＱ１のコレクタ→トランジスタＱ１のエミッタ→トランジスタＱ２のベース→抵抗Ｒ３→定電流ダイオードＣＲＤ１→外部出力信号の入力用接点のような経路を流れる。これら電流Ｉｆ１及びＩｆ３は、負極性電圧信号と電源電圧とが重なって印加された電圧にもとづいて流れるものである。このため、そのままでは大電流となる。ところが、定電流ダイオードＣＲＤ１によりその電流値が制限されて一定となるため、フォトカプラＰＣ２等が破損するほどの大電流とはならない。ただし、断線抵抗ＢＲ１がシリーズに接続されたときに流れる電流に比べると大きな値となるため、トランジスタＱ２のＣ→Ｅを通じてフォトカプラＰＣ２の発光素子に電流Ｉｆ４が流れる。これによりフォトカプラＰＣ２がＯＮ状態となり、この受光素子からの出力信号が外部へ送出される。
【００７８】
さらに、電流Ｉｆ１がトランジスタＱ３のベースに流れることで、そのトランジスタＱ３のコレクタにも電流Ｉｆ２が流れる。
電流Ｉｆ２は、電源の正極側→トランジスタＱ３のエミッタ→トランジスタＱ３のコレクタ→フォトカプラＰＣ３の発光素子→抵抗Ｒ５→電源の負極側のような経路で流れる。これにより、フォトカプラＰＣ３はＯＮ状態となって発光素子が発光し、断線検出出力部１３−２からは、フォトカプラＰＣ３の受光素子からの出力信号が外部へ送出される。
【００７９】
このように、入力手段１１に負極性電圧信号が入力された場合は、フォトカプラＰＣ１がＯＦＦ状態となるもののフォトカプラＰＣ２がＯＮ状態となるため、出力手段１３の信号検出出力部１３−１からは信号が出力される（オンとなる）。また、フォトカプラＰＣ３がＯＮ状態となるため、断線検出出力部１３−２からも信号が出力される（オンとなる）。
【００８０】
次に、外部出力信号が通る経路上で断線が発生した場合について、図５ｇを参照して説明する。
例えば、同図に示すように、外部出力信号が通る経路のうち正極性入力端子＋側の配線で断線があったものとする。
この場合、入力手段１１に外部出力信号が入力されたとしても、断線により電流が流れないため、フォトカプラＰＣ１はＯＦＦ状態となる。
【００８１】
また、電源の正極側に印加された電源電圧により、トランジスタＱ３のエミッタ→トランジスタＱ３のベース→抵抗Ｒ４→定電流ダイオードＣＲＤ１→断線抵抗ＢＲ１→ダイオードＤ２→電源の負極側のような経路で電流が流れることが想定されるが、この経路の途中で断線しているため、その電流も流れない。
このため、フォトカプラＰＣ２とフォトカプラＰＣ３には電流が流れないことから、それぞれＯＦＦ状態となる。
このように、外部出力信号が通る経路上で断線が発生した場合は、フォトカプラＰＣ１，フォトカプラＰＣ２，フォトカプラＰＣ３のすべてがＯＦＦ状態となることから、出力手段１３の信号検出出力部１３−１と断線検出出力部１３−２との双方で信号が出力されなくなる（オフとなる）。
【００８２】
ところで、外部出力信号が通る経路上で断線が発生したか否かを判断する方法として、本実施形態では、出力手段１３の断線検出出力部１３−２から送出される出力信号によって判断することとしている。つまり、断線検出出力部１３−２から出力信号が送出されている場合を「断線が発生していない」とし、送出されていない場合を「断線が発生している」とする。
しかし、図６に示すように、断線検出出力部１３−２から出力信号が送出されていない場合としては、断線が発生している場合と、正極性電圧信号が入力されている場合とがある。
【００８３】
この正極性電圧信号が入力されている場合とは、外部出力信号が通る経路上で断線が発生していないにもかかわらず、断線検出出力部１３−２から出力信号が出力されなくなる場合である。
このため、本実施形態においては、断線検出出力部１３−２から出力信号が出力されていなくても、信号検出出力部１３−１から信号が出力されている場合は、断線していないものと判断する。
【００８４】
以上、本発明の信号変換回路及び信号処理中継装置の好ましい実施形態について説明したが、本発明に係る信号変換回路及び信号処理中継装置は上述した実施形態にのみ限定されるものではなく、本発明の範囲で種々の変更実施が可能であることは言うまでもない。
例えば、本実施形態においては、アイソレート型信号伝達素子としてフォトカプラを用いているが、フォトカプラに限るものではなく、例えば、フォトＭＯＳ、磁気カップリング、磁気結合素子などを用いることもできる。
また、上述した実施形態では、信号変換回路にフォトカプラを三個設けてあるが、三個に限るものではなく、必要に応じて、一個、二個又は四個以上設けることもできる。
【００８５】
さらに、上記実施形態においては、抵抗を所定数設けてあるが、抵抗はその実施形態で挙げた個数に限定されるものではなく、他の電子素子の有する特性，規格等に応じて任意好適な個数や抵抗値で設けることもできる。
また、本発明の信号変換回路は、一つの信号処理中継装置に一つのみ設けることもでき、また複数設けることもできる。
【産業上の利用可能性】
【００８６】
本発明は、遊技場装置が出力する外部出力信号を、所定の出力信号に変換して周辺機器へ出力する信号変換回路や、この信号変換回路を備える信号処理中継装置に適用することができる。
【図面の簡単な説明】
【００８７】
【図１】ホールに設置された遊技場システムの構成を示すブロック図である。
【図２】本発明の実施形態における信号変換回路の構成を示すブロック図である。
【図３】本発明の実施形態における信号変換回路の他の構成を示すブロック図である。
【図４】本発明の実施形態における信号変換回路の具体的な回路構成を示す回路図である。
【図５ａ】本発明の実施形態における信号変換回路の入力手段に接点開信号が入力された場合の回路構成を示す回路図である。
【図５ｂ】本発明の実施形態における信号変換回路の入力手段に接点閉信号が入力された場合の回路構成を示す回路図である。
【図５ｃ】本発明の実施形態における信号変換回路の入力手段で正極性電圧信号が非入力の場合の回路構成を示す回路図である。
【図５ｄ】本発明の実施形態における信号変換回路の入力手段に正極性電圧信号が入力された場合の回路構成を示す回路図である。
【図５ｅ】本発明の実施形態における信号変換回路の入力手段で負極性電圧信号が非入力の場合の回路構成を示す回路図である。
【図５ｆ】本発明の実施形態における信号変換回路の入力手段に負極性電圧信号が入力された場合の回路構成を示す回路図である。
【図５ｇ】本発明の実施形態における外部出力信号が通る経路上で断線した場合の回路構成を示す回路図である。
【図６】本発明の実施形態の信号変換回路において、入力手段に入力される各信号にもとづき出力手段で送出される信号の種類を示す図表である。
【符号の説明】
【００８８】
１０（１０ａ、１０ｂ）  信号変換回路
１１  入力手段
１２  変換手段
１２−１  正極性電圧検出部
１２−２  接点・負極性電圧検出部
１２−３  断線検出部
１３  出力手段
１３−１  信号検出出力部
１３−２  断線検出出力部
ＰＣ１，ＰＣ２，ＰＣ３  フォトカプラ
ＺＤ１  ツェナダイオード
ＣＲＤ１  定電流ダイオード
ＢＲ１  断線抵抗
１００  遊技場システム
１０１  遊技機
１０２  台ユニット
１０４  ホールコンピュータ
１０７  玉メダル貸機
１０８  玉メダル計数機
１０９  景品交換機
１１０  カード販売課金精算機
１１１  両替機
【図１】
2005230178.tif 000003
【図２】
2005230178.tif 000004
【図３】
2005230178.tif 000005
【図４】
2005230178.tif 000006
【図５ａ】
2005230178.tif 000007
【図５ｂ】
2005230178.tif 000008
【図５ｃ】
2005230178.tif 000009
【図５ｄ】
2005230178.tif 000010
【図５ｅ】
2005230178.tif 000011
【図５ｆ】
2005230178.tif 000012
【図５ｇ】
2005230178.tif 000013
【図６】
2005230178.tif 000014